(57)【要約】【課題】マグネットを伝わって冷蔵庫内の冷気が外に漏れ出すのを防ぐことで、冷却効率を高める。【解決手段】ガスケット１を冷蔵庫の扉４の周辺に装着し、冷蔵庫の本体３と当接する部分に中空の第１の空気室１１を設ける。第１の空気室１１の内側面に、冷蔵庫の本体３と当接す当接部分１１aを除いて、マグネット２の長さ方向に帯状の突起部１５、１６を形成する。突起部１５、１６によって、第１の空気室１１の左右及び手前の３方の内側面とマグネット２との間には間隙が形成されるので、冷熱が外部に逃げ難くなる。【選択図】図１
0003134249.tif 000002
【実用新案登録請求の範囲】
【請求項１】
冷蔵庫の扉の周辺に装着されるものであって、ガスケットとマグネットとを備え、
上記ガスケットは、上記冷蔵庫の本体に当接する第１の空気室と、上記扉の周辺への取付部と、これらを伸縮自在に連結する第２の空気室とを備えており、
上記第１の空気室の内側面には、上記冷蔵庫の本体への当接部分を除いて、突起部が設けてあり、
上記マグネットは、上記第１の空気室に挿入されており、
上記マグネットは、上記突起部によって、上記当接部分を除いて上記第１の空気室の内側面と所定の間隙だけ離されている
ことを特徴とするマグネットガスケット。
【請求項２】
請求項１において、上記突起部は、上記マグネットの長手方向に沿った帯状部材である
ことを特徴とするマグネットガスケット。
【考案の詳細な説明】
【技術分野】
【０００１】
本考案は、マグネットと、このマグネットを収納する空気室の内側面との間に間隙を設けることによって、断熱性を向上した冷蔵庫の扉のマグネットガスケットに関する。
【背景技術】
【０００２】
従来から多くの冷蔵庫では、冷蔵庫の本体の前面開口部周辺からの冷気を遮断するために、冷蔵庫の扉の裏面にマグネットガスケットを取付けていた。すなわち図４及び図５に示すように、マグネットガスケットは、マグネットを収納する第１の空気室と、第２の空気室と、冷蔵庫の扉の裏側に設けられた開口穴に挿入される取付部と、冷蔵庫の前面開口面に吸着するマグネットとを備えている。
【０００３】
上記マグネットガスケットに関しては、マグネットが、ガスケットの薄壁を隔てて冷蔵庫の本体の前面に密着するため、この密着面から冷熱がマグネットに伝わって、このマグネットを介して冷熱が外に逃げ易い。このためマグネットを収納する空気室の周囲に、別の空気室や中空の袋状部を設けて、マグネットを収納する空気室の周辺から外部に逃げる冷熱を少なくする方法がある（例えば特許文献１参照。）。またマグネットの裏面に断熱材を設けて、マグネットの裏面から外部に逃げる冷熱を少なくする方法がある（例えば特許文献２参照。）。
【特許文献１】特開２００３−  ６５６６４号公報（１〜４頁、図２、３）
【特許文献２】特開２００３−３１４９５３号公報（１〜５頁、図３）
【考案の開示】
【考案が解決しようとする課題】
【０００４】
上述した特許文献１では、マグネットの外周面は、第１の空気室の内側面に密着している。このため冷蔵庫の扉等からマグネットに伝わった冷熱が、外気に直接接触している第１の空気室の壁を介して、冷蔵庫の外部に逃げやすい。
【０００５】
また特許文献２では、断熱材を設けたマグネットの裏面からの冷熱の逃げは防止できるが、断熱材を設けていない他の部分は外気に直接接触しているので、この部分からは、特許文献１と同様に冷熱が外に逃げ出してしまう。
【０００６】
そこで本考案の目的は、マグネットガスケットのマグネットを伝わって、外に逃げ出る冷熱をより少なくすることによって、冷蔵庫の消費電力を削減できるマグネットガスケットを提案することにある。
【課題を解決するための手段】
【０００７】
上述した課題を解決すべく、本考案によるマグネットガスケットの特徴は、冷蔵庫の扉の周辺に装着されるものであって、ガスケットとマグネットとを備え、上記ガスケットは、上記冷蔵庫の本体に当接する第１の空気室と、上記扉の周辺への取付部と、これらを伸縮自在に連結する第２の空気室とを備えており、上記第１の空気室の内側面には、上記冷蔵庫の本体への当接部分を除いて、突起部が設けてあり、上記マグネットは、上記第１の空気室に挿入されており、上記マグネットは、上記突起部によって、上記当接部分を除いて上記第１の空気室の内側面と所定の間隙だけ離されていることにある。また上記突起部は、上記マグネットの長手方向に沿った帯状部材であることが望ましい。
【０００８】
ここで、「冷蔵庫の本体への当接部分」とは、ガスケットの第１の空気室について、冷蔵庫の本体の前面開口部周辺に接触する面を意味し、外側面のみならず内側面も含む。また、「突起部」とは、断面形状が矩形や三角形等の連続した帯状のものに限らず、柱状体または錐状体を一定間隔毎に配置したものや、第１の空気室の壁面を波型に形成したものも含む。
【考案の効果】
【０００９】
ガスケットに設けられた第１の空気室の内側面に、冷蔵庫の本体への当接部分を除いて突起部を設けて、マグネットが第１の空気室と接触する面積を減らすことによって、冷蔵庫の外に逃げる冷熱を少なくして、消費電力を抑えることができる。また、上記突起部を、マグネットの長手方向に沿った帯状部材とすることによって、射出成形又は押出成形により容易に製作することができる。
【考案を実施するための最良の形態】
【００１０】
図１を参照しつつ、本考案によるマグネットガスケットについて説明する。図１に示すように、本考案によるマグネットガスケットは、軟質合成樹脂を射出成形又は押出成形したガスケット１と、細長い板状のマグネット２とを備えており、このガスケットは、第１の空気室１１と、第２の空気室１２と、取付部１３とを有している。細長い板状のマグネット２は、第１の空気室１１の四隅から、それぞれ挿入される。また、第１の空気室１１は、断面がほぼ四角形に形成されている。さらに、第１の空気室１１の当接部分１１aの外側面は、冷蔵庫の本体３の当接面に密着するよう平坦に成形されている。なお第１の空気室１１の右外側には、第３の空気室１４が、この第１の空気室と一体的に成形されている。
【００１１】
第２の空気室１２は、伸縮自在な中空形状であって、第１の空気室１１の左外側面と、第３の空気室１４の右外側面とに、この中空体の上部両端が連結している。第２の空気室１２の下部は、ほぼ平らに形成してあり、その底面には、楔状の取付部１３が突設され、この取付部が、冷蔵庫の扉４の周辺に設けた保持溝４１に係合する。なお保持溝４１の開口部分は、取付部１３の幅より狭くなっており、この取付部の楔状の一部分が、この保持溝の開口部に引掛かって、抜け出ないようになっている。
【００１２】
次に図２を参照しつつ、第１の空気室１１に設けた突起部１５、１６について説明する。第１の空気室１１の、左右の壁１１b、１１dの内側面のほぼ中央部分には、断面形状がほぼ四角形の帯状の突起部１５が、１列形成されている。また、冷蔵庫の本体３との当接部分１１aに対向する対向部分１１cの内側面にも、ほぼ四角形の断面形状である帯状の突起部１６が、２列形成されている。なお突起部１５及び突起部１６の断面形状や配列数は、上記のものに限らない。例えば断面が三角あるいは逆Ｕの字形状のものを３列以上配置してもよい。
【００１３】
次に図３を参照しつつ、突起部の他の形状について説明する。すなわち図３に示すように、第１の空気室１１１には、左右の壁１１１b、１１１dの内側面のほぼ中央部分に、ほぼ三角形の断面形状の突起部１１５が、マグネット１０２の長さ方向に１列形成されている。また、冷蔵庫の本体１０３との当接部分１１１aと対向する対向部分１１１cの内側面にも、ほぼ三角形の断面形状の突起部１１６が、それぞれ間隔を空けて３列、マグネット１０２の長さ方向に形成されている。
【産業上の利用可能性】
【００１４】
本考案によるマグネットガスケットは、冷蔵庫から逃げる冷熱を減少させることが可能となり消費電力を低減できる。したがって冷蔵庫に関する産業に広く利用可能である。
【図面の簡単な説明】
【００１５】
【図１】マグネットガスケットの横断面図である。
【図２】マグネットガスケットの横断面を示す斜視図である。
【図３】他のマグネットガスケットの横断面を示す斜視図である。
【図４】従来のマグネットガスケットの横断面図である。
【図５】従来の他のマグネットガスケットの横断面図である。
【符号の説明】
【００１６】
１、１０１                  ガスケット
１１、１１１、            第１の空気室
１１a、１１１a、          冷蔵庫の本体への当接部分
１２、１１２、            第２の空気室
１３                      取付部
１５、１１５、            突起部
１６、１１６、            突起部
２、１０２、              マグネット
３、１０３、              冷蔵庫の本体
４                        冷蔵庫の扉
【図１】
0003134249.tif 000003
【図２】
0003134249.tif 000004
【図３】
0003134249.tif 000005
【図４】
0003134249.tif 000006
【図５】
0003134249.tif 000007